(57)【要約】【課題】光線の利用率を向上することができる光学板を提供することである。【解決手段】第一透明層と、第二透明層と、拡散層と、が一体に成型された光学板において、前記拡散層は、前記第一透明層と第二透明層との間に配置される透明樹脂と、前記透明樹脂の内部に分布される拡散粒子と、を含み、前記第一透明層の表面には、複数のＶ状突起が形成され、前記第二透明層の表面には、複数の球面マイクロ突起が形成されている。【選択図】図２
2008139850.tif 000002
【特許請求の範囲】
【請求項１】
第一透明層と、第二透明層と、拡散層と、が一体に成型された光学板において、
前記拡散層は、前記第一透明層と第二透明層との間に配置される透明樹脂と、前記透明樹脂の内部に分布される拡散粒子と、を含み、
前記第一透明層の表面には、複数のＶ状突起が形成され、
前記第二透明層の表面には、複数の球面マイクロ突起が形成されていることを特徴とする光学板。
【請求項２】
前記複数の球面マイクロ突起がマトリクス方式に配列されることを特徴とする請求項１に記載の光学板。
【請求項３】
前記球面マイクロ突起を構成する半球体の半径Ｒが０.０１〜３ｍｍであることを特徴とする請求項１に記載の光学板。
【請求項４】
互いに隣接する２つの球面マイクロ突起の中心の間の距離が球面マイクロ突起の球面半径の１／２乃至４倍であることを特徴とする請求項１に記載の光学板。
【請求項５】
前記複数のＶ状突起が連続的に緊密に配列されることを特徴とする請求項１に記載の光学板。
【請求項６】
互いに隣接する２つのＶ状突起の中心間の距離が０.０２５ｍｍ〜１ｍｍであることを特徴とする請求項１に記載の光学板。
【請求項７】
各々のＶ状突起の頂角が６０度〜１２０度であることを特徴とする請求項１に記載の光学板。
【請求項８】
前記第一透明層と拡散層の接続面、前記第二透明層と拡散層の接続面の中で、少なくとも一方が複合型曲面に形成されていることを特徴とする請求項１に記載の光学板。
【請求項９】
前記第一透明層、第二透明層及び拡散層の透明樹脂の材料として、アクリル酸樹脂、ポリカーネボート、ポリスチレン、スチレン/アクリロニトリル共重合体等を単独または混合して用いることを特徴とする請求項１に記載の光学板。
【請求項１０】
前記拡散粒子の材料として、二酸化チタン、二酸化ケイ素、アクリル酸樹脂の粒子を単独または混合して用いることを特徴とする請求項１に記載の光学板。
【発明の詳細な説明】
【技術分野】
【０００１】
本発明は、バックライトに用いる光学板に関し、特に複合型光学板に関する。
【背景技術】
【０００２】
液晶表示装置は、携帯用個人情報端末（ＰＤＡ）、ノートパソコン、デジタルカメラ、携帯電話、液晶テレビ等の表示装置に広く用いられている。ところが、液晶自体が非発光材料であるから、バックライトの光線を介して表示の機能を実現している。前記バックライトは、液晶パネルの輝度を充分にし、且つ分布を均一にする面光源を提供する。
【０００３】
図１は、従来の拡散板及びプリズムシートを用いるバックライトを示す断面図である。前記バックライト１０は、反射板１１と、前記反射板１１の上に順に配置された複数の光源１２と、拡散板１３と、プリズムシート１５と、を含む。
【０００４】
上述した部品において、前記拡散板１３の内部には、光線を拡散させる拡散粒子が分布されている。前記拡散粒子の材料として、一般的にメタクリル酸メチルが用いられる。前記プリズムシート１５の表面には、バックライトの所定の視角範囲内の輝度を向上させるＶ状のマイクロ突起が設けられている。
【０００５】
前記バックライト１０を用いる時、前記複数の光源１２の光線が、まず前記拡散板１３によって均一に拡散される。拡散された光線が前記プリズムシート１５を通過する時、プリズムシート１５のＶ状のマイクロ突起によって光線が一定に集光されるので、前記バックライト１０の所定の視角範囲内の輝度を向上させることができる。
【０００６】
しかし、従来技術のバックライト１０において、前記拡散板１３とプリズムシート１５は別々に製造していたので、両者が独立に存在する。前記拡散板１３とプリズムシート１５を使用する場合、両者をいくら密着させても、接触面の間に空気層が存在するのを防ぐことができない。従って、前記光源１２の光線が、前記拡散板１３及びプリズムシート１５を通過する時、前記接触面の空気層での反射によって、光線が多く損失され、光線の利用率が低下される。
【発明の開示】
【発明が解決しようとする課題】
【０００７】
本発明の目的は、光線の利用率を向上させることができる光学板を提供することである。
【課題を解決するための手段】
【０００８】
第一透明層と、第二透明層と、拡散層と、が一体に成型された光学板において、前記拡散層は、前記第一透明層と第二透明層との間に配置される透明樹脂と、前記透明樹脂の内部に分布される拡散粒子と、を含み、前記第一透明層の表面には、複数のＶ状突起が形成され、前記第二透明層の表面には、複数の球面マイクロ突起が形成されている。
【発明の効果】
【０００９】
上述したように、第一透明層、第二透明層及び拡散層が一体に成型される本発明の光学板において、前記拡散層は、透明樹脂と、前記透明樹脂の内部に分布される拡散粒子と、を含み、前記第一透明層の外表面には、複数のＶ状突起が形成され、前記第二透明層の外表面には、複数の球面マイクロ突起が形成されている。光源の光線が前記光学板を通過する時、まず、前記光学板の何れか１つの透明層によって拡散された後、前記拡散層によってさらに均一に拡散される。最後に、拡散された前記光線が他の透明層によって集光される。これで、光源の光線が二回も拡散されるために、出射する光線の均一性を向上し易くすることができる。
【００１０】
又、光線が一体に成型された前記光学板を通過するので、光線が光学界面に形成される空気層で反射されることを防ぐことができる。即ち、一体に成型された前記第一透明層と拡散層及び第二透明層との間に空気層が形成されることができないので、光線が空気層に反射されることを防ぐことができる。従って、光線のエネルギーが損失されることを防ぎ、光線の利用率を向上させることができる。また、光線が前記光学板の第一透明層と拡散層によって均一に拡散された後、前記第二透明層に入射するから、前記光学板は優れた光学的均一性を有する。
【発明を実施するための最良の形態】
【００１１】
以下図面に基づいて、本発明の実施の形態に係る光学板に対して詳細に説明する。
【００１２】
図２及び図３に示すように、本発明の光学板２０は、一体に成型される第一透明層２１、拡散層及２２及び第二透明層２３を含む。前記光学板２０は、金型で製造する場合、まず、前記第一透明層２１を射出成型し、次に、前記第一透明層２１の上に前記拡散層２２を射出成型し、最後に、前記拡散層２２の上に第二透明層２３を射出成型する。ここで、前記光学板２０を製造する順序を一定に変動することができるが、前記拡散層をできるだけ２つの透明層２１、２３の間に配置する方がよい。
【００１３】
前記拡散層２２は、前記第一透明層２１と第二透明層２３との間に配置される透明樹脂２２１と、前記透明樹脂２２１の内部に分布される拡散粒子２２３と、を含む。前記第一透明層２１の表面には、連続的に緊密に配列される複数のＶ状突起２１１が形成されている。前記Ｖ状突起２１１は、長尺状に形成され、且つ前記突起２１１の長手方向と前記光学板２０の長手方向がなす角の範囲は０〜９０度である。前記第二透明層２３の表面には、複数の球面マイクロ突起２３１が形成されている。
【００１４】
前記拡散層２２、第一透明層２１及び第二透明層２３の厚さは、各々０.３５ｍｍであるか、０.３５ｍｍより大きい。好ましくは、前記拡散層２２、第一透明層２１及び第二透明層２３の厚さの合計を１〜６ｍｍにする。
【００１５】
第一透明層２１及び第二透明層２３は、同一の透明樹脂材料から製造することができる。その透明樹脂材料として、アクリル酸樹脂、ポリカーネボート、ポリスチレン、スチレン／アクリロニトリル共重合体等を単独または混合して用いることができる。第一透明層２１及び第二透明層２３は、不同な透明樹脂材料から製造することもできる。
【００１６】
前記第一透明層２１のＶ状突起２１１は、前記第一透明層２１の１つの側辺から対向する他の側辺へ延伸して形成される長尺状突起である。
【００１７】
互いに隣接する２つのＶ状突起２１１の中心間の距離ｈは、式０.０２５ｍｍ≦ｈ≦1ｍｍを満足し、Ｖ状突起２１１の各々の頂角θは、式６０度〜１２０度を満足する。前記Ｖ状突起２１１の頂角θ値が変化することに従って、バックライトの輝度と視角範囲も変化する。また、隣接する２つのＶ状突起２１１の間に一定な間隔があるように配列することもできる。前記Ｖ状突起２１１が連続的に緊密に配列される場合と、一定な間隔があるように配列される場合の光学効果は微小な差異を有する。
【００１８】
前記第二透明層２３の複数の球面マイクロ突起２３１は、マトリクス方式に配列され、その形状は、半球体或いは半球体より小さい球面体にすることができる。本実施例では半球体状を採用する。
【００１９】
優れた光学効果を達成するために、前記球面マイクロ突起２３１の球面半径Ｒを０.０１〜３ｍｍにする。且つ、各々の球面マイクロ突起２３１の高さＨを０.０１ｍｍより大きく、前記半径Ｒより小さくする。互いに隣接する２つの球面マイクロ突起２３１の中心の間の距離Ｐを球面マイクロ突起２３１の球面半径Ｒの１／２乃至４倍にする。本実施例では、球面マイクロ突起２３１の高さＨを球面マイクロ突起２３１の球面半径Ｒと同じにし、互いに隣接する２つの球面マイクロ突起２３１の中心の間の距離Ｐを球面マイクロ突起２３１の球面半径Ｒの２倍より少し大きくする。
【００２０】
前記光学板２０の拡散層２２は、入射された光源の光線を均一に拡散させる作用を奏する。
【００２１】
前記光学板２０の透光率は、前記透明樹脂２２１と拡散粒子２２３の組成比によって決まる。好ましくは、前記光学板２０の透光率を３０％〜９８％にする。
【００２２】
前期拡散層２２の透明樹脂２２１の材料として、アクリル酸樹脂、ポリカーネボート、ポリスチレン、スチレン／アクリロニトリル共重合体等を単独または混合して用いることができる。前記拡散層２２の拡散粒子２２３の材料として、二酸化チタン、二酸化ケイ素、アクリル酸樹脂等の粒子を単独または混合して用いることができる。前記拡散粒子２２３は、従来技術の拡散板に分布される拡散粒子のように、入射された光源の光線を均一に拡散させる。また、本実施例では、前記拡散層２２と前記第一透明層２１の接続面、前記拡散層２２と前記第二透明層２３の接続面は皆平面である。
【００２３】
前記第一透明層２１を前記光学板２０の光入射面の側に設置する場合、光源の光線が前記第一透明層２１の複数のＶ状突起２１１によって拡散された後、前記拡散層２２によって更に拡散される。その後、前記光線が直接前記第二透明層２３に入射されて、前記第二透明層２３の球面マイクロ突起２３１によって一定に集光される。これで、前記第一透明層２１、前記拡散層２２及び前記第二透明層２３が一体に成型される前記光学板２０を光線が通過するので、光線が光学界面に形成される空気層に反射されることを防ぐことができる。
【００２４】
即ち、一体に成型される前記第一透明層２１と、前記拡散層２２と、前記第二透明層２３との間に空気層が形成されることができないので、光線が空気層に反射されることを防ぐことができる。従って、光線のエネルギーが損失されることを防ぎ、光線の利用率を向上させることができる。且つ、前記光学板２０を通過する光線が前記第一透明層２１と前記拡散層２２によって二回も拡散されるので、前記光学板２０から出る光線の均一性を確保することができる。
【００２５】
また、前記光学板２０をバックライトに組み立てる時、光学板２０を１つだけ組み立てれば組立が完成されるから、従来技術の拡散板及びプリズムシートを組み立てることに比較して、作業の時間を減らし、作業の効率を向上させることができる。
【００２６】
また、前記光学板２０は、従来技術の拡散板とプリズムシートの機能を具備するから、拡散板とプリズムシートが占める空間を節約することができる。即ち、拡散板及びプリズムシートを装着する必要がないから、前記光学板２０を用いる製品を軽く、薄く、小さくすることができる。
【００２７】
前記第二透明層２３を前記光学板２０の光入射面の側に設置する場合も、光線が光学界面に形成される空気層によって反射されることを防ぐことができ、前記光学板２０を通過する光線が前記第二透明層２３と前記拡散層２２によって二回も拡散されるので、前記光学板２０から出る光線の均一性を確保することができる。
【００２８】
しかし、前記第二透明層２３を光学板２０の光入射面の側に設置するバックライトと、前記第一透明層２１を光学板２０の光入射面の側に設置するバックライトの増光効果は相異する。例えば、前記第一透明層２１を光学板２０の光入射面の側に設置する場合、第二透明層２３の光出射面にマトリクス方式に配列された球面マイクロ突起２３１によって、光線が一定な範囲内で周囲へ拡散されるから、バックライトの視角範囲が比較に広くなるが、バックライトの増光効果は相対的に弱くなる。
【００２９】
図４は、本発明の第二実施例に係る光学板３０の断面図である。本実施例の光学板３０と第一実施例の光学板２０が異なるところは、第二透明層に形成される複数の球面マイクロ突起３３１が緊密に配列されることである。
【００３０】
図５は、本発明の第三実施例に係る光学板５０の断面図である。本実施例の光学板５０と第一実施例の光学板２０が異なるところは、第二透明層に形成される球面マイクロ突起５３１の高さが、前記球面マイクロ突起を形成する球体の半径の１／２倍であることである。
【００３１】
図６は、本発明の第四実施例に係る光学板６０の断面図である。本実施例の光学板６０と第一実施例の光学板２０が異なるところは、本実施例の光学板６０の第一透明層６１と拡散板６２の接続面が複合型曲面に形成されることである。前記曲面は、前記第二透明層６３に形成される球面マイクロ突起の形状と対応する構造に形成されている。
【００３２】
また、前記第二透明層６３と前記拡散板６２の接続面も複合型曲面に形成することができる。前記曲面も、前記第一透明層６１に形成される長尺状のＶ状突起の形状と対応する構造に形成されている。また、第一透明層６１と拡散板６２の接続面或いは前記第二透明層６３と前記拡散板６２の接続面を他の構造を有する複合型曲面に設けることもできる。
【００３３】
本発明の光学板の複数の球面マイクロ突起は、マトリクス方式に配列する以外に、蜂巣状或いは不規則に配列することもできる。
【００３４】
また、複数の球面マイクロ突起のサイズ及び形状を互いに不同に設けることもできる。即ち、一部分の球面マイクロ突起の球面半径を、他の一部分の球面マイクロ突起の球面半径より大きく設けるか、または、一部分の球面マイクロ突起を半球体状に設け、他の一部分の球面マイクロ突起を１／４球体状に設けることができる。
【００３５】
以上、本発明の好適な実施の形態について詳細に説明したが、本発明は前記実施の形態に限定されるものではなく、本発明の範囲内で種々の変形又は修正が可能であり、前記変形又は修正も又、本発明の特許請求の範囲内に含まれるものであることは、いうまでもない。
【図面の簡単な説明】
【００３６】
【図１】従来技術のバックライトを示す断面図である。
【図２】本発明の第一実施例に係る光学板の斜視図である。
【図３】図２に示す光学板のIII−III線による断面図である。
【図４】本発明の第二実施例に係る光学板の断面図である。
【図５】本発明の第三実施例に係る光学板の断面図である。
【図６】本発明の第四実施例に係る光学板の断面図である。
【符号の説明】
【００３７】
２０  光学板
２１  第一透明層
２１１  長尺状Ｖ形突起
２２  拡散層
２２１  透明樹脂
２２３  拡散粒子
２３  第二透明層
２３１  球面マイクロ突起
３０  光学板
３１  第一透明層
３３１  球面マイクロ突起
５０  光学板
５３１  球面マイクロ突起
６０  光学板
６１  第一透明層
６２  拡散層
６３  第二透明層
【図１】
2008139850.tif 000003
【図２】
2008139850.tif 000004
【図３】
2008139850.tif 000005
【図４】
2008139850.tif 000006
【図５】
2008139850.tif 000007
【図６】
2008139850.tif 000008